(57)【特許請求の範囲】
【請求項１】
所定長のデータブロック毎に、誤り訂正符号化して誤り訂正符号化フレームを生成する誤り訂正符号化部と、
前記誤り訂正符号化フレームを所定数のビットずつシンボルにマッピングして、誤り訂正符号化ブロックを生成するマッピング部と、
伝送パラメータを格納するＬ１（Ｌａｙｅｒ−１）シグナリング情報を生成し、前記Ｌ１シグナリング情報を誤り訂正符号化してＬ１誤り訂正符号化フレームを生成し、前記Ｌ１誤り訂正符号化フレームを所定数のビットずつシンボルにマッピングするＬ１シグナリング情報処理部と、
前記マッピング部から出力される誤り訂正符号化ブロックと、前記Ｌ１シグナリング情報処理部から出力されるＬ１シグナリング情報のマッピングデータとを含んで送信フレームを構成するフレーム構成部と、を有し、
前記Ｌ１シグナリング情報処理部は、各符号化率に対する非均一な形状のマッピングとして、前記符号化率より高い符号化率に対する前記マッピング部における非均一な形状のマッピングを用いる
ことを特徴とする送信装置。
【請求項２】
伝送パラメータを格納するＬ１（Ｌａｙｅｒ−１）シグナリング情報の各符号化率に対する非均一な形状のマッピングとして、前記符号化率より高い符号化率に対する送信ストリームの非均一な形状のマッピングを用いて送信された信号を受信する受信装置であって、
前記送信信号の復調を行う復調部と、
前記復調部で復調されたデータから、前記Ｌ１シグナリング情報と前記送信ストリームを抽出する抽出部と、
前記抽出されたＬ１シグナリング情報と前記抽出された送信ストリームに対して、各々の非均一な形状のマッピングに基づき、デマッピングを行うデマッピング部と、を有する
ことを特徴とする受信装置。
【請求項３】
所定長のデータブロック毎に、誤り訂正符号化して誤り訂正符号化フレームを生成する誤り訂正符号化ステップと、
前記誤り訂正符号化フレームを所定数のビットずつシンボルにマッピングして、誤り訂正符号化ブロックを生成するマッピングステップと、
伝送パラメータを格納するＬ１（Ｌａｙｅｒ−１）シグナリング情報を生成し、前記Ｌ１シグナリング情報を誤り訂正符号化してＬ１誤り訂正符号化フレームを生成し、前記Ｌ１誤り訂正符号化フレームを所定数のビットずつシンボルにマッピングするＬ１シグナリング情報処理ステップと、
前記マッピングステップから出力される誤り訂正符号化ブロックと、前記Ｌ１シグナリング情報処理ステップから出力されるＬ１シグナリング情報のマッピングデータとを含んで送信フレームを構成するフレーム構成ステップと、を含み、
前記Ｌ１シグナリング情報処理ステップは、各符号化率に対する非均一な形状のマッピングとして、前記符号化率より高い符号化率に対する前記マッピングステップにおける非均一な形状のマッピングを用いる
ことを特徴とする送信方法。
【請求項４】
伝送パラメータを格納するＬ１（Ｌａｙｅｒ−１）シグナリング情報の各符号化率に対する非均一な形状のマッピングとして、前記符号化率より高い符号化率に対する送信ストリームの非均一な形状のマッピングを用いて送信された信号を受信する受信方法であって、
前記送信信号の復調を行う復調ステップと、
前記復調ステップで復調されたデータから、前記Ｌ１シグナリング情報と前記送信ストリームを抽出する抽出ステップと、
前記抽出されたＬ１シグナリング情報と前記抽出された送信ストリームに対して、各々の非均一な形状のマッピングに基づき、デマッピングを行うデマッピングステップと、を含む
ことを特徴とする受信方法。
【発明の詳細な説明】
【技術分野】
【０００１】
本開示は、非均一なマッピング形状の変調を用いた伝送技術に関する。
【背景技術】
【０００２】
欧州における地上デジタルテレビ放送の伝送規格であるＤＶＢ―Ｔ（DVB-Terrestrial）方式により、欧州を初め、欧州以外の国々でもテレビ放送のデジタル化が広く進行している。一方、周波数利用効率改善を目的として、第２世代地上デジタルテレビ放送であるＤＶＢ―Ｔ２方式の規格化が２００６年より開始され、２００９年に英国で本放送によるＨＤＴＶサービスが開始された。ＤＶＢ―Ｔ２方式はＤＶＢ―Ｔと同じく、ＯＦＤＭ（Orthogonal Frequency Division Multiplexing：直交周波数分割多重）方式を採用している（非特許文献１、２）。【０００３】
一方、携帯・モバイル受信機用伝送規格であるＤＶＢ―ＮＧＨ（DVB-Next Generation Handheld）方式の規格化が２０１０年より開始され、２０１２年９月に規格書ドラフトがＤＶＢ−ＴＭ（DVB-Technical Module）で承認され、同年１１月にブルーブックとして公開された（非特許文献３）。
【先行技術文献】
【非特許文献】
【０００４】
【非特許文献１】ETSI EN 302 755 V1.3.1 (2012年4月): Frame structure channel coding and modulation for a second generation digital terrestrial television broadcasting system (DVB-T2)
【非特許文献２】ETSI TS 102 831 V1.2.1 (2012年8月): Implementation guidelines for a second generation digital terrestrial television broadcasting system (DVB-T2)
【非特許文献３】DVB BlueBook A160 (2012年11月): Next Generation broadcasting system to Handheld, physical layer specification (DVB-NGH) (Draft ETSI EN 303 105 V1.1.1)
【発明の概要】
【０００５】
本開示の一態様に係る送信装置は、所定長のデータブロック毎に、誤り訂正符号化して誤り訂正符号化フレームを生成する誤り訂正符号化部と、前記誤り訂正符号化フレームを所定数のビットずつシンボルにマッピングして、誤り訂正符号化ブロックを生成するマッピング部と、を有し、前記誤り訂正符号化フレームの長さは２種類以上が選択可能であり、前記マッピング部は、前記誤り訂正符号化部における符号化率が同一であっても、前記誤り訂正符号化フレームの第１の長さと第２の長さに対して、互いに異なる非均一な形状にマッピングする。
【図面の簡単な説明】
【０００６】
【図１】図１は、実施の形態１における送信装置１００の構成を示す図である。
【図２】図２は、実施の形態１におけるＰＬＰ処理部１１１の構成を示す図である。
【図３】図３は、実施の形態１において、ＬＤＰＣ符号化の符号長が６４ｋモードである場合の非均一なマッピング形状の６４ＱＡＭ（符号化率２／５）コンスタレーション配置を示す図である。
【図４】図４は、実施の形態１において、ＬＤＰＣ符号化の符号長が６４ｋモードである場合の非均一なマッピング形状の６４ＱＡＭ（全ての符号化率）コンスタレーション配置を示す図である。
【図５】図５は、実施の形態１におけるＬ１情報処理部１４１の構成を示す図である。
【図６】図６は、実施の形態１において、Ｌ１−ｐｏｓｔ（configurable）におけるＰＬＰループに含むＬ１情報を示す図である。
【図７】図７は、実施の形態１における受信装置２００の構成を示す図である。
【図８】図８は、実施の形態２における送信装置３００の構成を示す図である。
【図９】図９は、実施の形態２におけるＬ１情報処理部３４１の構成を示す図である。
【図１０】図１０は、実施の形態２において、Ｌ１−ｐｒｅに含むＬ１−ｐｏｓｔに関するＬ１情報を示す図である。
【図１１】図１１は、実施の形態２において、Ｌ１−ｐｏｓｔにおける非均一なマッピング形状の６４ＱＡＭ（符号化率７／１５）コンスタレーション配置を示す図である。
【図１２】図１２は、実施の形態２における受信装置４００の構成を示す図である。
【図１３】図１３は、実施の形態２の変形例におけるＬ１情報処理部３４５の構成を示す図である。
【図１４】図１４は、実施の形態２の変形例において、Ｌ１−ｐｒｅに含むＬ１−ｐｏｓｔに関するＬ１情報を示す図である。
【図１５】図１５は、実施の形態２の変形例において、Ｌ１−ｐｏｓｔにおける非均一なマッピング形状の６４ＱＡＭ（符号化率７／１５）コンスタレーション配置を示す図である。
【図１６】図１６は、実施の形態２の変形例における受信装置４５０の構成を示す図である。
【図１７】図１７は、実施の形態３における送信装置５００の構成を示す図である。
【図１８】図１８は、実施の形態３におけるＭＩＭＯ−ＰＬＰ処理部５３１の構成を示す図である。
【図１９】図１９は、実施の形態３において、ＭＩＭＯプロファイルにおける非均一なマッピング形状の６４ＱＡＭ（符号化率２／５）コンスタレーション配置を示す図である。
【図２０】図２０は、実施の形態１において、ＭＩＭＯプロファイルにおける非均一なマッピング形状の６４ＱＡＭ（全ての符号化率）コンスタレーション配置を示す図である。
【図２１】図２１は、実施の形態３におけるＬ１情報処理部５４１の構成を示す図である。
【図２２】図２２は、実施の形態３において、Ｌ１−ｐｏｓｔ（configurable）におけるＰＬＰループに含むＬ１情報を示す図である。
【図２３】図２３は、実施の形態３における受信装置６００の構成を示す図である。
【図２４】図２４は、ＤＶＢ―ＮＧＨ方式の伝送フレーム構成を示す図である。
【図２５】図２５は、従来のＤＶＢ―ＮＧＨ方式のＢａｓｅプロファイル（ＳＩＳＯフレーム）における送信装置２０００の構成を示す図である。
【図２６】図２６は、従来のＤＶＢ―ＮＧＨ方式におけるＰＬＰ処理部２０１１の構成を示す図である。
【図２７】図２７は、従来のＤＶＢ―ＮＧＨ方式におけるＬ１情報処理部２０４１の構成を示す図である。
【図２８】図２８は、従来のＤＶＢ―ＮＧＨ方式における均一なマッピング形状の６４ＱＡＭコンスタレーション配置を示す図である。
【図２９】図２９は、従来のＤＶＢ―ＮＧＨ方式における非均一なマッピング形状の６４ＱＡＭ（符号化率２／５）コンスタレーション配置を示す図である。
【図３０】図３０は、従来のＤＶＢ―ＮＧＨ方式における非均一なマッピング形状の６４ＱＡＭ（全ての符号化率）コンスタレーション配置を示す図である。
【発明を実施するための形態】
【０００７】
（本開示の基礎となった知見）
図２４は、ＤＶＢ―ＮＧＨ方式の伝送フレーム構成を示す図である。ＤＶＢ―ＮＧＨ方式はＰＬＰ（Physical Layer Pipe）と呼ばれる概念を有し、ＰＬＰ毎に独立に変調方式、符号化率などの伝送パラメータを設定できることが特徴の一つである。ＰＬＰの数は最小１、最大２５５であり、図２４は例として、ＰＬＰの数が１０の場合を示している。
【０００８】
以下に、伝送フレーム構成を示す。
【０００９】
スーパーフレーム ＝ Ｎ＿ＥＢＦ フレーム群基本ブロック（Ｎ＿ＥＢＦ ＝ ２〜２５５）
フレーム群基本ブロック ＝ Ｎ＿Ｆ フレーム（Ｎ＿Ｆ ＝ １〜２５５）
フレーム ＝ Ｐ１シンボル ＋ ａＰ１シンボル＋ Ｐ２シンボル ＋ データシンボル
Ｐ１シンボル ＝ １ シンボル
ａＰ１シンボル ＝ ０〜１ シンボル
Ｐ２シンボル ＝ Ｎ＿Ｐ２ シンボル（Ｎ＿Ｐ２はＦＦＴサイズにより一意）
データシンボル ＝ Ｌ＿ｄａｔａ シンボル（Ｌ＿ｄａｔａは可変、上限と下限あり）
Ｐ１シンボルはＦＦＴサイズ１ｋ、ＧＩ（Guard Interval）＝１／２で送信される。Ｐ１シンボルはＳ１の３ビットにより、そのＰ１シンボルから開始するフレームのフォーマット（ＮＧＨ＿ＳＩＳＯ、ＮＧＨ＿ＭＩＳＯ、それ以外を示すＥＳＣなど）を送信する。
【００１０】
またＰ１シンボルはＳ２の４ビットにより、そのフレームのフォーマットがＮＧＨ＿ＳＩＳＯまたはＮＧＨ＿ＭＩＳＯの場合、後続するＰ２シンボル及びデータシンボルにおけるＦＦＴサイズなどの情報を送信する。またＰ１シンボルはＳ２の４ビットにより、そのフレームのフォーマットがそれ以外を示すＥＳＣである場合、そのフレームのフォーマット（ＮＧＨ＿ＭＩＭＯなど）を送信する。
【００１１】
ａＰ１シンボルは、Ｐ１シンボル中のＳ１でＥＳＣと送信された場合のみ送信される。Ｐ１シンボルと同じくＦＦＴサイズ１ｋ、ＧＩ（Guard Interval）＝１／２で送信されるが、ＧＩの生成方法がＰ１シンボルと異なる。ａＰ１シンボルはＳ３の３ビットにより、後続するＰ２シンボル及びデータシンボルにおけるＦＦＴサイズなどの情報を送信する。
【００１２】
Ｐ２シンボルは前半部分にＬ１シグナリング情報を含み、余った後半部分に主信号データを含む。データシンボルは主信号データの続きを含む。
【００１３】
Ｐ２シンボルで送信するＬ１シグナリング情報は、主に全ＰＬＰに共通な情報を送信するＬ１−ｐｒｅ情報と、主にＰＬＰ毎の情報を送信するＬ１−ｐｏｓｔ情報によって構成される。図２４ではＬ１−ｐｒｅ情報に続いてＬ１−ｐｏｓｔ情報が送信される、ＬＣ(Logical Channel)  ｔｙｐｅ  Ａの構成を示している。なおＬＣ  ｔｙｐｅ  Ｂにおいては、Ｌ１−ｐｏｓｔ情報の送信順序はＬ１−ｐｒｅ情報の次に限定されない。
【００１４】
図２５は、ＤＶＢ―ＮＧＨ方式のＢａｓｅプロファイルにおける送信装置２０００の構成を示す図である（非特許文献３参照）。特に、ＳＩＳＯ（Single Input Single Output）フレームの場合を示す。送信装置２０００には一例として、２つのストリームが入力される、すなわち２つのＰＬＰを生成する場合を示し、ＰＬＰ毎にＰＬＰ処理部２０１１を備える。また送信装置２０００は、Ｌ１（Layer-1）情報処理部２０４１、フレーム構成部２０２１、ＯＦＤＭ信号生成部２０６１、Ｄ／Ａ変換部２０９１、周波数変換部２０９６を備える。
【００１５】
以下、送信装置２０００の動作について説明する。ＰＬＰ毎のＰＬＰ処理部２０１１はそれぞれ入力ストリームをＰＬＰに対応させ、そのＰＬＰに関する処理を行い、各ＰＬＰのマッピングデータ（cell）を出力する。入力ストリームの一例としては、ＴＳ（Transport Stream）、ＴＳのあるプログラムに含まれる音声・映像などのサービス・コンポーネント、ＳＶＣ（Scalable Video Coding）を用いた映像のBase layerやEnhancement layerなどのサービス・サブコンポーネントなどが挙げられ、情報源符号化の一例としてはＨ．２６４やＨＥＶＣ（Ｈ．２６５）などが挙げられる。
【００１６】
Ｌ１情報処理部２０４１は、Ｌ１情報に関する処理を行い、Ｌ１情報のマッピングデータを出力する。フレーム構成部２０２１は、ＰＬＰ処理部２０１１から出力される各ＰＬＰのマッピングデータと、Ｌ１情報処理部２０４１から出力されるＬ１情報のマッピングデータを用いて、図２４に示すＤＶＢ―ＮＧＨ方式の伝送フレームを生成して出力する。
【００１７】
ＯＦＤＭ信号生成部２０６１は、フレーム構成部２０２１から出力されるＤＶＢ―ＮＧＨ方式の伝送フレーム構成に対して、パイロット信号の付加、ＩＦＦＴ（Inverse Fast Fourier Transform）、ＧＩの挿入、Ｐ１シンボルの挿入を行い、ＤＶＢ―ＮＧＨ方式のデジタルベースバンド送信信号を出力する。Ｄ／Ａ変換部２０９１は、ＯＦＤＭ信号生成部２０６１から出力されるＤＶＢ―ＮＧＨ方式のデジタルベースバンド送信信号に対してＤ／Ａ変換を行い、ＤＶＢ―ＮＧＨ方式のアナログベースバンド送信信号を出力する。周波数変換部２０９６は、Ｄ／Ａ変換部２０９１から出力されるＤＶＢ―ＮＧＨ方式のアナログベースバンド送信信号に対して周波数変換を行い、ＤＶＢ―ＮＧＨ方式のアナログＲＦ送信信号を図示しない送信アンテナから出力する。
【００１８】
次に、ＰＬＰ処理部２０１１の動作について詳細を説明する。図２６に示す通り、ＰＬＰ処理部２０１１は、入力処理部２０７１、ＦＥＣ（Forward Error Correction）符号化部２０７２、マッピング部２０７３、インターリーブ部２０７４を備える。
【００１９】
ＰＬＰ処理部２０１１において、入力処理部２０７１は入力ストリームをベースバンド・フレームに変換する。ＦＥＣ符号化部２０７２はベースバンド・フレーム毎にＢＣＨ符号化、及びＬＤＰＣ符号化を行ってパリティビットを付加し、ＦＥＣフレームを生成する。マッピング部２０７３はＩ・Ｑ座標へのマッピングを行ってＦＥＣブロックに変換し、各マッピングデータ（cell）を出力する。インターリーブ部２０７４は、整数個のＦＥＣブロックを含むTI（Time Interleaving）ブロック内で、マッピングデータ（cell）の並べ替えを行う。
【００２０】
次に、Ｌ１情報処理部２０４１の動作について詳細を説明する。図２７に示す通り、Ｌ１情報処理部２０４１は、Ｌ１情報生成部２０８１、ＦＥＣ符号化部２０８２、マッピング部２０８３を備える。
【００２１】
Ｌ１情報処理部２０４１において、Ｌ１情報生成部２０８１は、伝送パラメータを生成してＬ１−ｐｒｅ情報とＬ１−ｐｏｓｔ情報に変換する。ＦＥＣ符号化部２０８２はＬ１−ｐｒｅ情報とＬ１−ｐｏｓｔ情報毎に、ＢＣＨ符号化、及びＬＤＰＣ符号化を行ってパリティビットを付加する。マッピング部２０８３はＩ・Ｑ座標へのマッピングを行い、マッピングデータ（cell）を出力する。
【００２２】
変調方式に関して、ＤＶＢ―Ｔ２方式は均一なマッピング形状のＱＡＭ（Quadrature Amplitude Modulation）のみを採用している。一方ＤＶＢ―ＮＧＨ方式は、均一だけでなく、非均一なマッピング形状のＱＡＭも採用している。
【００２３】
図２８と図２９はそれぞれ、ＤＶＢ―ＮＧＨ方式における、均一なマッピング形状の６４ＱＡＭコンスタレーション配置、及び非均一なマッピング形状の６４ＱＡＭ（符号化率２／５）コンスタレーション配置図を示す。両方の図面において、（ａ）はコンスタレーション配置図を、（ｂ）はＩ・Ｑ座標を示す。
【００２４】
ところで情報理論より、送信機出力の振幅が加法性白色ガウスノイズ（ＡＷＧＮ）伝送路においてガウス分布に従う場合に、シェーピング利得を得ることが知られている。図２９に示す非均一マッピングは低い電力のマッピング点を増やし、高い電力のマッピング点を減らすことにより、各マッピング点が同じ確率で発生する場合に送信機出力の振幅がガウス分布に従っている。このガウス分布はＡＷＧＮの大きさ、すなわち受信機におけるＣ／Ｎ（Carrier to Noise）比によって異なる。
【００２５】
ＤＶＢ―ＮＧＨ方式は放送用規格のため、受信機毎のＣ／Ｎ比に応じて非均一マッピングの形状を変更することができない。このため、符号化率毎にその所要Ｃ／Ｎ比に応じて非均一マッピングの形状を定義することにより、所要Ｃ／Ｎ比付近でシェーピング利得を最大化している。図３０はＤＶＢ―ＮＧＨ方式における非均一なマッピング形状の６４ＱＡＭ（全ての符号化率）コンスタレーション配置のＩ・Ｑ座標を示す。
【００２６】
（課題について）
前述の通り、ＤＶＢ―ＮＧＨ方式においては符号化率毎に非均一マッピングの形状を定義している。ＤＶＢ―ＮＧＨ方式はＬＤＰＣ符号化の符号長として、データＰＬＰ（Physical Layer Pipe）に対しては１６，２００ｂｉｔ（以降、１６ｋモードと呼ぶ）のみを採用している。一方ＤＶＢ―Ｔ２方式は１６ｋモードだけでなく、６４，８００ｂｉｔ（以降、６４ｋモードと呼ぶ）も採用している。符号長の長い６４ｋモードは、符号長の短い１６ｋモードより誤り訂正能力が高く、ＤＶＢ―ＮＧＨ方式の非均一マッピングの形状をそのまま６４ｋモードに適用した場合、所要Ｃ／Ｎ比付近でシェーピング利得を最大限得られない可能性がある。
【００２７】
またＤＶＢ―ＮＧＨ方式において、Ｌ１シグナリング情報に対しては４，３２０ｂｉｔ（以降、４ｋモードと呼ぶ）のみを採用している。Ｌ１シグナリング情報の内、Ｌ１−ｐｏｓｔ情報に対しては均一だけでなく、非均一マッピングも採用しているが、非均一マッピングの形状は１６ｋモードを用いるデータＰＬＰと同一であり、所要Ｃ／Ｎ比付近でシェーピング利得を最大限得られない可能性がある。
【００２８】
またＤＶＢ−Ｔ２方式においては、Ｌ１シグナリング情報に対しては１６ｋモードのみを採用し、Ｌ１−ｐｏｓｔ情報に対しては符号化率４／９のみを採用しており、これはデータＰＬＰで採用されている符号化率の一つである。Ｌ１−ｐｏｓｔ情報は情報ビット数が少ない場合、短縮化やパンクチャが行われるが、情報ビット数が少ないことに起因する誤り訂正能力の低下が発生する。よって、データＰＬＰの非均一マッピング形状をそのままＬ１−ｐｏｓｔ情報に適用した場合、所要Ｃ／Ｎ比付近でシェーピング利得を最大限得られない可能性がある。
【００２９】
またＤＶＢ―ＮＧＨ方式において、ＭＩＭＯ（Multiple Input Multiple Output）プロファイルに対しては均一マッピングのみを採用している。ＭＩＭＯは複数送受信アンテナを用いた並列伝送であり、アンテナ間干渉の影響を完全に排除することは困難なため、ＳＩＳＯと同一変調方式・符号化率・符号長を用いた場合、所要Ｃ／Ｎ比が高くなる。よってＳＩＳＯの非均一マッピングの形状をそのままＭＩＭＯに適用した場合、所要Ｃ／Ｎ比付近でシェーピング利得を最大限得られない可能性がある。
【００３０】
本開示は、上述の問題を解決するべくなされたものであり、非均一なマッピング形状の変調を用いてシェーピング利得を効率的に得る送信装置、送信方法、受信装置、受信方法を提供する。
【００３１】
（解決手段について）
第１の開示に係る送信装置は、所定長のデータブロック毎に、誤り訂正符号化して誤り訂正符号化フレームを生成する誤り訂正符号化部と、前記誤り訂正符号化フレームを所定数のビットずつシンボルにマッピングして、誤り訂正符号化ブロックを生成するマッピング部と、を有し、前記誤り訂正符号化フレームの長さは２種類以上が選択可能であり、前記マッピング部は、前記誤り訂正符号化部における符号化率が同一であっても、前記誤り訂正符号化フレームの第１の長さと第２の長さに対して、互いに異なる非均一な形状にマッピングする。
【００３２】
第２の開示に係る送信装置は、第１の開示に記載の送信装置において伝送パラメータを格納するＬ１（Layer-1）シグナリング情報を生成し、前記Ｌ１シグナリング情報を誤り訂正符号化し、所定数のビットずつシンボルにマッピングするＬ１シグナリング情報処理部と、前記マッピング部から出力される誤り訂正符号化ブロックと、前記Ｌ１シグナリング情報処理部から出力されるＬ１シグナリング情報のマッピングデータとを含んで送信フレームを構成するフレーム構成部と、を更に有し、前記Ｌ１シグナリング情報として、前記誤り訂正符号化フレームの長さと前記符号化率を含む。
【００３３】
第３の開示に係る受信装置は、誤り訂正符号化の符号化率が同一であっても、誤り訂正符号化フレームの第１の長さと第２の長さに対して、互いに異なる非均一な形状にマッピングされて送信された信号を受信する受信装置であって、前記送信信号の復調を行う復調部と、前記復調部で復調されたデータから、誤り訂正符号化フレームの長さと符号化率を復号し、前記非均一な形状のマッピングを検出して、デマッピングを行うデマッピング部を有する。
【００３４】
第４の開示に係る送信装置は、所定長のデータブロック毎に、誤り訂正符号化して誤り訂正符号化フレームを生成する誤り訂正符号化部と、前記誤り訂正符号化フレームを所定数のビットずつシンボルにマッピングして、誤り訂正符号化ブロックを生成するマッピング部と、伝送パラメータを格納するＬ１（Layer-1）シグナリング情報を生成し、前記Ｌ１シグナリング情報を誤り訂正符号化してＬ１誤り訂正符号化フレームを生成し、前記Ｌ１誤り訂正符号化フレームを所定数のビットずつシンボルにマッピングするＬ１シグナリング情報処理部と、前記マッピング部から出力される誤り訂正符号化ブロックと、前記Ｌ１シグナリング情報処理部から出力されるＬ１シグナリング情報のマッピングデータとを含んで送信フレームを構成するフレーム構成部と、を有し、前記Ｌ１シグナリング情報処理部は、前記Ｌ１シグナリング情報の誤り訂正符号化における符号化率が前記誤り訂正符号化部における符号化率と同一であっても、前記マッピング部における非均一な形状のマッピングと異ならせてマッピングを行う。
【００３５】
第５の開示に係る送信装置は、第４の開示に記載の送信装置において、前記Ｌ１誤り訂正符号化フレームの長さと前記誤り訂正符号化フレームの長さが互いに異なる。
【００３６】
第６の開示に係る送信装置は、第４の開示に記載の送信装置において、前記Ｌ１シグナリング情報処理部は、少なくとも前記Ｌ１シグナリング情報を誤り訂正符号化する前に短縮化処理を行うか、または前記Ｌ１シグナリング情報を誤り訂正符号化した後にパンクチャ処理を行う。
【００３７】
第７の開示に係る送信装置は、第６の開示に記載の送信装置において、前記Ｌ１誤り訂正符号化フレームの長さと前記誤り訂正符号化フレームの長さが同一である。
【００３８】
第８の開示に係る受信装置は、伝送パラメータを格納するＬ１（Layer-1）シグナリング情報と送信ストリームの誤り訂正符号化の符号化率が同一であっても、互いに異なる非均一な形状にマッピングされて送信された信号を受信する受信装置であって、前記送信信号の復調を行う復調部と、前記復調部で復調されたデータから、前記Ｌ１シグナリング情報と前記送信ストリームを抽出する抽出部と、前記抽出されたＬ１シグナリング情報と前記抽出された送信ストリームに対して、互いに異なる非均一な形状のマッピングに基づき、デマッピングを行うデマッピング部を有する。
【００３９】
第９の開示に係る送信装置は、ＳＩＳＯ（Single Input Single Output）及びＭＩＳＯ（Multiple Input Single Output）及びＭＩＭＯ（Multiple Input Multiple Output）の内、少なくとも２つでの伝送方式で通信を実行する機能を有する送信装置であって、所定長のデータブロック毎に、誤り訂正符号化して誤り訂正符号化フレームを生成する誤り訂正符号化部と、前記誤り訂正符号化フレームを所定数のビットずつシンボルにマッピングして、誤り訂正符号化ブロックを生成するマッピング部と、を有し、前記マッピング部は、前記誤り訂正符号化部における符号化率が同一であっても、前記伝送方式に対して互いに異なる非均一な形状にマッピングする。
【００４０】
第１０の開示に係る受信装置は、ＳＩＳＯ（Single Input Single Output）及びＭＩＳＯ（Multiple Input Single Output）及びＭＩＭＯ（Multiple Input Multiple Output）の内、少なくとも２つでの伝送方式で通信を実行する機能を有し、誤り訂正符号化の符号化率が同一であっても、前記伝送方式に対して互いに異なる非均一な形状にマッピングされて送信された信号を受信する受信装置であって、前記送信信号から前記伝送方式を検出して、前記送信信号の復調を行う復調部と、前記検出された伝送方式に対して、伝送方式毎に互いに異なる非均一な形状のマッピングに基づき、デマッピングを行うデマッピング部を有する。
【００４１】
第１１の開示に係る送信方法は、所定長のデータブロック毎に、誤り訂正符号化して誤り訂正符号化フレームを生成する誤り訂正符号化ステップと、前記誤り訂正符号化フレームを所定数のビットずつシンボルにマッピングして、誤り訂正符号化ブロックを生成するマッピングステップと、を有し、前記誤り訂正符号化フレームの長さは２種類以上が選択可能であり、前記マッピングステップは、前記誤り訂正符号化部における符号化率が同一であっても、前記誤り訂正符号化フレームの第１の長さと第２の長さに対して、互いに異なる非均一な形状にマッピングする。
【００４２】
第１２の開示に係る受信方法は、誤り訂正符号化の符号化率が同一であっても、誤り訂正符号化フレームの第１の長さと第２の長さに対して、互いに異なる非均一な形状にマッピングされて送信された信号を受信する受信方法であって、前記送信信号の復調を行う復調ステップと、前記復調部で復調されたデータから、誤り訂正符号化フレームの長さと符号化率を復号し、前記非均一な形状のマッピングを検出して、デマッピングを行うデマッピングステップを含む。
【００４３】
第１３の開示に係る送信方法は、所定長のデータブロック毎に、誤り訂正符号化して誤り訂正符号化フレームを生成する誤り訂正符号化ステップと、前記誤り訂正符号化フレームを所定数のビットずつシンボルにマッピングして、誤り訂正符号化ブロックを生成するマッピングステップと、伝送パラメータを格納するＬ１（Layer-1）シグナリング情報を生成し、前記Ｌ１シグナリング情報を誤り訂正符号化してＬ１誤り訂正符号化フレームを生成し、前記Ｌ１誤り訂正符号化フレームを所定数のビットずつシンボルにマッピングするＬ１シグナリング情報処理ステップと、前記マッピング部から出力される誤り訂正符号化ブロックと、前記Ｌ１シグナリング情報処理部から出力されるＬ１シグナリング情報のマッピングデータとを含んで送信フレームを構成するフレーム構成ステップと、を含み、前記Ｌ１シグナリング情報処理ステップは、前記Ｌ１シグナリング情報の誤り訂正符号化における符号化率が前記誤り訂正符号化部における符号化率と同一であっても、前記マッピング部における非均一な形状のマッピングと異ならせてマッピングを行う。
【００４４】
第１４の開示に係る受信方法は、伝送パラメータを格納するＬ１（Layer-1）シグナリング情報と送信ストリームの誤り訂正符号化の符号化率が同一であっても、互いに異なる非均一な形状にマッピングされて送信された信号を受信する受信方法であって、前記送信信号の復調を行う復調ステップと前記復調部で復調されたデータから、前記Ｌ１シグナリング情報と前記送信ストリームを抽出する抽出ステップと、前記抽出されたＬ１シグナリング情報と前記抽出された送信ストリームに対して、互いに異なる非均一な形状のマッピングに基づき、デマッピングを行うデマッピングステップを含む。
【００４５】
第１５の開示に係る送信方法は、ＳＩＳＯ（Single Input Single Output）及びＭＩＳＯ（Multiple Input Single Output）及びＭＩＭＯ（Multiple Input Multiple Output）の内、少なくとも２つでの伝送方式で通信を実行する機能を有する送信方法であって、所定長のデータブロック毎に、誤り訂正符号化して誤り訂正符号化フレームを生成する誤り訂正符号化ステップと、前記誤り訂正符号化フレームを所定数のビットずつシンボルにマッピングして、誤り訂正符号化ブロックを生成するマッピングステップと、を含み、前記マッピングステップは、前記誤り訂正符号化部における符号化率が同一であっても、前記伝送方式に対して互いに異なる非均一な形状にマッピングする。
【００４６】
第１６の開示に係る受信方法は、ＳＩＳＯ（Single Input Single Output）及びＭＩＳＯ（Multiple Input Single Output）及びＭＩＭＯ（Multiple Input Multiple Output）の内、少なくとも２つでの伝送方式で通信を実行する機能を有し、誤り訂正符号化の符号化率が同一であっても、前記伝送方式に対して互いに異なる非均一な形状にマッピングされて送信された信号を受信する受信方法であって、前記送信信号から前記伝送方式を検出して、前記送信信号の復調を行う復調ステップと、前記検出された伝送方式に対して、伝送方式毎に互いに異なる非均一な形状のマッピングに基づき、デマッピングを行うデマッピングステップを含む。
【００４７】
第１の開示に係る送信装置によれば、誤り訂正符号化部における符号化率が同一であっても、誤り訂正符号化フレームの第１の長さと第２の長さに対して、互いに異なる非均一な形状にマッピングすることにより、シェーピング利得を効率的に得ることができる。
【００４８】
また、第２の開示に係る送信装置によれば、Ｌ１シグナリング情報として、誤り訂正符号化フレームの長さと前記符号化率を含むことにより、誤り訂正符号化部における符号化率が同一であっても、誤り訂正符号化フレームの第１の長さと第２の長さに対して、互いに異なる非均一マッピング形状を定義し、受信機に通知することを可能とすることができる。
【００４９】
また、第３の開示に係る受信装置によれば、復調部が送信信号の復調を行い、デマッピング部が誤り訂正符号化フレームの長さと符号化率を参照し、前記非均一な形状のマッピングを検出して、デマッピングを行うことにより、誤り訂正符号化の符号化率が同一であっても、誤り訂正符号化フレームの第１の長さと第２の長さに対して、互いに異なる非均一な形状にマッピングされて送信された信号を受信することができる。
【００５０】
また、第４の開示に係る送信装置によれば、Ｌ１シグナリング情報と送信ストリームの符号化率が同一であっても、互いに異なる非均一な形状にマッピングすることにより、シェーピング利得を効率的に得ることができる。
【００５１】
また、第５の開示に係る送信装置によれば、Ｌ１シグナリング情報と送信ストリームの符号化率が同一であっても、誤り訂正符号化フレームの長さが異なる場合に、互いに異なる非均一な形状にマッピングすることにより、シェーピング利得を効率的に得ることができる。
【００５２】
また、第６の開示に係る送信装置によれば、Ｌ１シグナリング情報と送信ストリームの符号化率が同一であっても、少なくともＬ１シグナリング情報を誤り訂正符号化する前に短縮化処理を行うか、または前記Ｌ１シグナリング情報を誤り訂正符号化した後にパンクチャ処理を行う場合に、互いに異なる非均一な形状にマッピングすることにより、シェーピング利得を効率的に得ることができる。
【００５３】
また、第７の開示に係る送信装置によれば、Ｌ１シグナリング情報と送信ストリームの符号化率及び誤り訂正符号化フレームの長さが同一であっても、少なくともＬ１シグナリング情報を誤り訂正符号化する前に短縮化処理を行うか、または前記Ｌ１シグナリング情報を誤り訂正符号化した後にパンクチャ処理を行う場合に、互いに異なる非均一な形状にマッピングすることにより、シェーピング利得を効率的に得ることができる。
【００５４】
また、第８の開示に係る受信装置によれば、復調部が送信信号の復調を行い、抽出部がＬ１シグナリング情報と送信ストリームを抽出し、デマッピング部が抽出されたＬ１シグナリング情報と送信ストリームに対して、互いに異なる非均一な形状のマッピングに基づき、デマッピングを行うことにより、Ｌ１シグナリング情報と送信ストリームの符号化率が同一であっても、互いに異なる非均一な形状にマッピングされて送信された信号を受信することができる。
【００５５】
また、第９の開示に係る送信装置によれば、ＳＩＳＯ及びＭＩＳＯ及びＭＩＭＯのいずれか２つの伝送方式の符号化率が同一であっても、互いに異なる非均一な形状にマッピングすることにより、シェーピング利得を効率的に得ることができる。
【００５６】
また、第１０の開示に係る受信装置によれば、復調部が送信信号から伝送方式を検出して送信信号の復調を行い、デマッピング部が検出された伝送方式に対して、少なくとも２つの伝送方式で互いに異なる非均一な形状のマッピングに基づき、デマッピングを行うことにより、ＳＩＳＯ及びＭＩＳＯ及びＭＩＭＯのいずれか２つの伝送方式の符号化率が同一であっても、互いに異なる非均一な形状にマッピングされて送信された信号を受信することができる。
【００５７】
また、第１１の開示に係る送信方法によれば、誤り訂正符号化ステップにおける符号化率が同一であっても、誤り訂正符号化フレームの第１の長さと第２の長さに対して、互いに異なる非均一な形状にマッピングすることにより、シェーピング利得を効率的に得ることができる。
【００５８】
また、第１２の開示に係る受信方法によれば、復調ステップが送信信号の復調を行い、デマッピングステップが誤り訂正符号化フレームの長さと符号化率を参照し、前記非均一な形状のマッピングを検出して、デマッピングを行うことにより、誤り訂正符号ステップの符号化率が同一であっても、誤り訂正符号化フレームの第１の長さと第２の長さに対して、互いに異なる非均一な形状にマッピングされて送信された信号を受信することができる。
【００５９】
また、第１３の開示に係る送信方法によれば、Ｌ１シグナリング情報と送信ストリームの符号化率が同一であっても、互いに異なる非均一な形状にマッピングすることにより、シェーピング利得を効率的に得ることができる。
【００６０】
また、第１４の開示に係る受信方法によれば、復調ステップが送信信号の復調を行い、抽出ステップがＬ１シグナリング情報と送信ストリームを抽出し、デマッピングステップが抽出されたＬ１シグナリング情報と送信ストリームに対して、互いに異なる非均一な形状のマッピングに基づき、デマッピングを行うことにより、Ｌ１シグナリング情報と送信ストリームの符号化率が同一であっても、互いに異なる非均一な形状にマッピングされて送信された信号を受信することができる。
【００６１】
また、第１５の開示に係る送信方法によれば、ＳＩＳＯ及びＭＩＳＯ及びＭＩＭＯのいずれか２つの伝送方式の符号化率が同一であっても、互いに異なる非均一な形状にマッピングすることにより、シェーピング利得を効率的に得ることができる。
【００６２】
また、第１６の開示に係る受信方法によれば、復調ステップが送信信号から伝送方式を検出して送信信号の復調を行い、デマッピングステップが検出された伝送方式に対して、少なくとも２つの伝送方式で互いに異なる非均一な形状のマッピングに基づき、デマッピングを行うことにより、ＳＩＳＯ及びＭＩＳＯ及びＭＩＭＯのいずれか２つの伝送方式の符号化率が同一であっても、互いに異なる非均一な形状にマッピングされて送信された信号を受信することができる。
【００６３】
以下、本開示の各実施形態について、図面を用いて詳細に説明する。
【００６４】
（実施の形態１）
＜送信装置及び送信方法＞
図１は、本開示の実施の形態１における送信装置１００の構成を示す図である。従来の送信装置と同じ構成要素は、同じ符号を用い、説明を省略する。本実施の形態においては、データＰＬＰに対するＬＤＰＣ符号化の符号長として、１６ｋモードだけでなく、６４ｋモードも用いる場合に関して説明する。
【００６５】
図１に示す送信装置１００は図２５に示す従来の送信装置２０００と比較して、ＰＬＰ処理部２０１１及びＬ１情報処理部２０４１をＰＬＰ処理部１１１及びＬ１情報処理部１４１にそれぞれ置き換えた構成である。
【００６６】
以下、送信装置１００の動作について説明する。ＰＬＰ毎のＰＬＰ処理部１１１はそれぞれ入力ストリームをＰＬＰに対応させ、そのＰＬＰに関する処理を行い、各ＰＬＰのマッピングデータ（cell）を出力する。
【００６７】
図２は、ＰＬＰ処理部１１１の構成を示す図である。図２６に示す従来のＰＬＰ処理部２０１１と比較して、入力処理部２０７１及びＦＥＣ符号化部２０７２及びマッピング部２０７３を入力処理部１７１及びＦＥＣ符号化部１７２及びマッピング部１７３にそれぞれ置き換えた構成である。
【００６８】
図２のＰＬＰ処理部１１１において、入力処理部１７１はＬＤＰＣ符号化の符号長が１６ｋモードか６４ｋモードであるかに応じて、入力ストリームをベースバンド・フレームに変換する。ＦＥＣ符号化部１７２はＬＤＰＣ符号化の符号長が１６ｋモードか６４ｋモードであるかに応じて、ベースバンド・フレーム毎にＢＣＨ符号化、及びＬＤＰＣ符号化を行ってパリティビットを付加し、ＦＥＣフレームを生成する。マッピング部１７３はＩ・Ｑ座標へのマッピングを行ってＦＥＣブロックに変換し、各マッピングデータ（cell）を出力する。
【００６９】
図３は、ＬＤＰＣ符号化の符号長が６４ｋモードである場合の非均一なマッピング形状の６４ＱＡＭ（符号化率２／５）コンスタレーション配置図を示す。１６ｋモードの場合には、ＤＶＢ―ＮＧＨ方式と同じく図２９の非均一なマッピング形状を用いる。図３に示す通り、６４ｋモードに対しては、１６ｋモードの場合の非均一マッピングをそのまま用いるのではなく、一段階低い符号化率１／３の非均一マッピングを用いている。これは符号長の長い６４ｋモードは符号長の短い１６ｋモードより誤り訂正能力が高く、所要Ｃ／Ｎ比が低くなるためである。
【００７０】
図４は、本実施の形態におけるＬＤＰＣ符号化の符号長が６４ｋモードである場合の非均一なマッピング形状の６４ＱＡＭ（全ての符号化率）コンスタレーション配置のＩ・Ｑ座標を示す。１６ｋモードの場合には、ＤＶＢ―ＮＧＨ方式と同じく図３０の非均一なマッピング形状を用いる。図４に示す通り、６４ｋモードに対しては、１６ｋモードの場合の非均一マッピングをそのまま用いるのではなく、それぞれ一段階低い符号化率の非均一マッピングを用いている。なお、符号化率１／３に対しては、新たに非均一マッピングを定義している。
【００７１】
図１のＬ１情報処理部１４１は、Ｌ１情報に関する処理を行い、Ｌ１情報のマッピングデータを出力する。
【００７２】
図５は、Ｌ１情報処理部１４１の構成を示す図である。図２７に示す従来のＬ１情報処理部２０４１と比較して、Ｌ１情報生成部２０８１をＬ１情報生成部１８１に置き換えた構成である。
【００７３】
図５のＬ１情報処理部１４１において、Ｌ１情報生成部１８１は、伝送パラメータを生成してＬ１−ｐｒｅ情報とＬ１−ｐｏｓｔ情報に変換する。図６に、Ｌ１−ｐｏｓｔ（configurable）におけるＰＬＰループに含むＬ１情報を示す。ＰＬＰ毎に、ＰＬＰ＿ＦＥＣ＿ＴＹＰＥによりＬＤＰＣ符号化の符号長が１６ｋモードか６４ｋモードであるかを示す。更にＰＬＰ毎に、符号化率を示すＰＬＰ＿ＣＯＤ、マッピングが均一か非均一かを示すＰＬＰ＿ＮＯＮ＿ＵＮＩＦＯＲＭ＿ＣＯＮＳＴ、変調方式を示すＰＬＰ＿ＭＯＤを含む。以上のＬ１情報を含むことで、同一符号化率で異なるＬＤＰＣ符号長に対して、異なる非均一マッピング形状を定義し、受信機に通知することが可能になる。
【００７４】
以上の構成により、非均一なマッピング形状の変調を用いた伝送技術において、同一符号化率で異なるＬＤＰＣ符号長に対して、異なる非均一マッピング形状を定義することにより、シェーピング利得を効率的に得る送信装置、送信方法、及びプログラムを提供することができる。
【００７５】
＜受信装置及び受信方法＞
図７は、本開示の実施の形態１における受信装置２００の構成を示す図である。図７の受信装置２００は、図１の送信装置１００に対応し、送信装置１００の機能を反映するものである。
【００７６】
受信装置２００は、チューナ部２０５と、Ａ／Ｄ変換部２０８と、復調部２１１と、周波数デインターリーブ・Ｌ１情報デインターリーブ部２１５と、ＰＬＰ用デインターリーブ部２２１と、選択部２３１と、デマッピング部２３２と、ＦＥＣ復号化部２３３を備える。
【００７７】
以下、受信装置２００の動作について説明する。受信アンテナよりアナログＲＦ受信信号が入力されると、チューナ部２０５は選局された周波数チャンネルの信号を選択受信し、所定の帯域にダウンコンバートする。Ａ／Ｄ変換部２０８はＡ／Ｄ変換して、デジタル受信信号を出力する。復調部２１１はＯＦＤＭ復調を行い、Ｉ・Ｑ座標のcellデータと伝送路推定値を出力する。周波数デインターリーブ・Ｌ１情報デインターリーブ部２１５は、選局されたプログラムデータを含むＰＬＰのcellデータと伝送路推定値を周波数デインターリーブし、かつＬ１情報のcellデータと伝送路推定値のデインターリーブを行う。デインターリーブされたＬ１情報のcellデータと伝送路推定値は、選択部２３１で選択される。そしてデマッピング部２３２がデマッピング処理を行い、ＦＥＣ復号化部２３３がＬＤＰＣ復号処理、ＢＣＨ復号処理を行う。これにより、Ｌ１情報が復号される。
【００７８】
ＰＬＰ用デインターリーブ部２２１は、復号されたＬ１情報に含まれるスケジューリング情報に基づき、ユーザにより選択されたプログラムを含むＰＬＰ（例えば、図１に示すＰＬＰ−１）のcellデータと伝送路推定値を抽出して、送信側のインターリーブ処理と逆の並べ替えを行う。デインターリーブされたＰＬＰ−１のcellデータと伝送路推定値は、選択部２３１で選択される。
【００７９】
選択部２３１から出力されたＰＬＰのcellデータと伝送路推定値に対してデマッピング部２３２がデマッピング処理を行い、ＦＥＣ復号化部２３３がＬＤＰＣ復号処理、ＢＣＨ復号処理を行う。これにより、ＰＬＰデータが復号される。
【００８０】
デマッピング部２３２はデマッピング処理を行う際に、復号されたＬ１情報の中からユーザにより選択されたプログラムを含むＰＬＰ（例えば、図１に示すＰＬＰ−１）に関して、図６に示すＰＬＰ＿ＦＥＣ＿ＴＹＰＥ、ＰＬＰ＿ＣＯＤ、ＰＬＰ＿ＮＯＮ＿ＵＮＩＦＯＲＭ＿ＣＯＮＳＴ、ＰＬＰ＿ＭＯＤを参照する。これにより、図１の送信装置１００が同一符号化率で異なるＬＤＰＣ符号長に対して、異なる非均一マッピング形状を定義した場合でも、デマッピング部２３２はマッピング形状の検出が可能となり、検出したマッピング形状に基づいたデマッピング処理が可能となる。
【００８１】
また、図７の受信装置２００の内、チューナ部２０５を除く構成要素を含んで集積回路２４０としてもよい。
【００８２】
以上の構成により、非均一なマッピング形状の変調を用いた伝送技術において、同一符号化率で異なるＬＤＰＣ符号長に対して、異なる非均一マッピング形状を定義された送信信号を受信する受信装置、受信方法、集積回路及びプログラムを提供することができる。
【００８３】
（実施の形態２）
＜送信装置及び送信方法＞
図８は、本開示の実施の形態２における送信装置３００の構成を示す図である。従来の送信装置、及び実施の形態１の送信装置と同じ構成要素は、同じ符号を用い、説明を省略する。本実施の形態においては、Ｌ１情報に対するＬＤＰＣ符号化の符号長がＤＶＢ−ＮＧＨ方式と同じく４ｋモードの場合に関して説明する。
【００８４】
図８の送信装置３００は図２５に示す従来の送信装置２０００と比較して、Ｌ１情報処理部２０４１をＬ１情報処理部３４１に置き換えた構成である。
【００８５】
図９は、Ｌ１情報処理部３４１の構成を示す図である。図２７に示す従来のＬ１情報処理部２０４１と比較して、Ｌ１情報生成部２０８１及びマッピング部２０８３をＬ１情報生成部３８１及びマッピング部３８３にそれぞれ置き換えた構成である。
【００８６】
図９のＬ１情報処理部３４１において、Ｌ１情報生成部３８１は、伝送パラメータを生成してＬ１−ｐｒｅ情報とＬ１−ｐｏｓｔ情報に変換する。図１０に、Ｌ１−ｐｒｅに含むＬ１−ｐｏｓｔに関するＬ１情報を示す。Ｌ１＿ＰＯＳＴ＿ＦＥＣ＿ＴＹＰＥによりＬＤＰＣ符号化の符号長が４ｋモードであることを示す。更に、符号化率を示すＬ１＿ＰＯＳＴ＿ＣＯＤ、マッピングが均一か非均一かを示すＬ１＿ＰＯＳＴ＿ＮＯＮ＿ＵＮＩＦＯＲＭ＿ＣＯＮＳＴ、変調方式を示すＬ１＿ＰＯＳＴ＿ＭＯＤを含む。以上のＬ１−ｐｏｓｔに関するＬ１情報を含むことで、Ｌ１−ｐｏｓｔがデータＰＬＰと同一符号化率で異なるＬＤＰＣ符号長を有する場合に、異なる非均一マッピング形状を定義し、受信機に通知することが可能になる。
【００８７】
図９のＬ１情報処理部３４１において、マッピング部３８３はＩ・Ｑ座標へのマッピングを行ってＦＥＣブロックに変換し、各マッピングデータ（cell）を出力する。
【００８８】
図１１は、Ｌ１−ｐｏｓｔにおける非均一なマッピング形状の６４ＱＡＭ（符号化率７／１５）コンスタレーション配置図を示す。図１１に示す通り、Ｌ１−ｐｏｓｔの４ｋモードに対しては、データＰＬＰ（１６ｋモード）の非均一マッピングをそのまま用いるのではなく、二段階高い符号化率３／５の非均一マッピングを用いている。これは符号長の短い４ｋモードは符号長の長い１６ｋモードより誤り訂正能力が低く、所要Ｃ／Ｎ比が高くなるためである。またＬ１−ｐｏｓｔは情報ビット数が少ないことに起因する誤り訂正能力の低下が発生することも考慮して、一段階高い符号化率８／１５ではなく、二段階高い符号化率３／５の非均一マッピングを用いている。
【００８９】
以上の構成により、非均一なマッピング形状の変調を用いた伝送技術において、Ｌ１情報がデータＰＬＰと同一符号化率で異なるＬＤＰＣ符号長を有する場合に、異なる非均一マッピング形状を定義することにより、シェーピング利得を効率的に得る送信装置、送信方法、及びプログラムを提供することができる。
【００９０】
＜受信装置及び受信方法＞
図１２は、本開示の実施の形態２における受信装置４００の構成を示す図である。図１２の受信装置４００は、図８の送信装置３００に対応し、送信装置３００の機能を反映するものである。実施の形態１の受信装置２００と同じ構成要素は、同じ符号を用い、説明を省略する。
【００９１】
図１２の受信装置４００は図７に示す実施の形態１における受信装置２００と比較して、デマッピング部２３２をデマッピング部４３２に置き換えた構成である。
【００９２】
以下、受信装置２００の動作について説明する。周波数デインターリーブ・Ｌ１情報デインターリーブ部２１５でデインターリーブされたＬ１情報のcellデータと伝送路推定値は、選択部２３１で選択される。そしてデマッピング部４３２がＬ１−ｐｒｅのデマッピング処理を行い、ＦＥＣ復号化部２３３がＬＤＰＣ復号処理、ＢＣＨ復号処理を行う。これにより、Ｌ１−ｐｒｅ情報が復号される。
【００９３】
デマッピング部４３２はＬ１−ｐｏｓｔのデマッピング処理を行う際に、復号されたＬ１−ｐｒｅ情報の中から、図１０に示すＬ１＿ＰＯＳＴ＿ＦＥＣ＿ＴＹＰＥ、Ｌ１＿ＰＯＳＴ＿ＣＯＤ、Ｌ１＿ＰＯＳＴ＿ＮＯＮ＿ＵＮＩＦＯＲＭ＿ＣＯＮＳＴ、Ｌ１＿ＰＯＳＴ＿ＭＯＤを参照する。これにより、Ｌ１−ｐｏｓｔとデータＰＬＰが同一符号化率で異なるＬＤＰＣ符号長を有する場合に、図８の送信装置３００が互いに異なる非均一マッピング形状を定義した場合でも、デマッピング部４３２はＬ１−ｐｏｓｔとデータＰＬＰの両方に対してマッピング形状の検出が可能となり、検出したマッピング形状に基づいたデマッピング処理が可能となる。ＦＥＣ復号化部２３３がデマッピング処理されたＬ１−ｐｏｓｔのＬＤＰＣ復号処理、ＢＣＨ復号処理を行う。これにより、Ｌ１−ｐｏｓｔ情報が復号される。
【００９４】
ＰＬＰ用デインターリーブ部２２１以降のデータＰＬＰに対する動作は、実施の形態１と同様である。
【００９５】
また、図１２の受信装置４００の内、チューナ部２０５を除く構成要素を含んで集積回路４４０としてもよい。
【００９６】
以上の構成により、非均一なマッピング形状の変調を用いた伝送技術において、Ｌ１情報がデータＰＬＰと同一符号化率で異なるＬＤＰＣ符号長を有する場合に、異なる非均一マッピング形状を定義された送信信号を受信する受信装置、受信方法、集積回路及びプログラムを提供することができる。
【００９７】
＜送信装置及び送信方法の変形例＞
なお、図９に示すＬ１情報処理部３４１を図１３に示すＬ１情報処理部３４５に置き換えてもよい。本変形例においては、Ｌ１情報に対するＬＤＰＣ符号化の符号長としてデータＰＬＰと同じ１６ｋモードを用いる場合に関して説明する。
【００９８】
図１３に示すＬ１情報処理部３４５は図９に示すＬ１情報処理部３４１と比較して、Ｌ１情報生成部３８１及びＦＥＣ符号化部２０８７及びマッピング部３８３をＬ１情報生成部３８６及びＦＥＣ符号化部３８７及びマッピング部３８８にそれぞれ置き換えた構成である。
【００９９】
図１３のＬ１情報処理部３４５において、Ｌ１情報生成部３８６は、伝送パラメータを生成してＬ１−ｐｒｅ情報とＬ１−ｐｏｓｔ情報に変換する。図１４に、Ｌ１−ｐｒｅに含むＬ１−ｐｏｓｔに関するＬ１情報を示す。Ｌ１＿ＰＯＳＴ＿ＦＥＣ＿ＴＹＰＥによりＬＤＰＣ符号化の符号長が１６ｋモードであることを示す。それ以外は、図１０と同様である。
【０１００】
図１３のＬ１情報処理部３４５において、ＦＥＣ符号化部３８７は１６ｋモードを用いて、Ｌ１−ｐｒｅ情報とＬ１−ｐｏｓｔ情報毎に、ＢＣＨ符号化、及びＬＤＰＣ符号化を行ってパリティビットを付加する。
【０１０１】
マッピング部３８８はＩ・Ｑ座標へのマッピングを行ってＦＥＣブロックに変換し、各マッピングデータ（cell）を出力する。
【０１０２】
図１５は、Ｌ１−ｐｏｓｔにおける非均一なマッピング形状の６４ＱＡＭ（符号化率７／１５）コンスタレーション配置図を示す。図１５に示す通り、Ｌ１−ｐｏｓｔ(１６ｋモード)に対しては、データＰＬＰ（１６ｋモード）の非均一マッピングをそのまま用いるのではなく、一段階高い符号化率８／１５の非均一マッピングを用いている。これは符号長が同じであっても、Ｌ１−ｐｏｓｔは情報ビット数が少ないことに起因する誤り訂正能力の低下が発生することを考慮しているためである。
【０１０３】
以上の構成により、非均一なマッピング形状の変調を用いた伝送技術において、Ｌ１情報がデータＰＬＰと同一符号化率・同一ＬＤＰＣ符号長を有する場合に、異なる非均一マッピング形状を定義することにより、シェーピング利得を効率的に得る送信装置、送信方法、及びプログラムを提供することができる。
【０１０４】
＜受信装置及び受信方法の変形例＞
以上の図１３に示すＬ１情報処理部３４５が適用された場合に対する受信装置４５０の構成を図１６に示す。図１６に示す受信装置４５０は図１２に示す受信装置４００と比較して、デマッピング部４３２及びＦＥＣ復号化部２３３をデマッピング部４８２及びＦＥＣ復号化部４８３にそれぞれ置き換えた構成である。
【０１０５】
図１６の受信装置４５０において、ＦＥＣ復号化部４８３が１６ｋモードを用いて、デマッピング処理されたＬ１−ｐｒｅのＬＤＰＣ復号処理、ＢＣＨ復号処理を行う。これにより、Ｌ１−ｐｒｅ情報が復号される。
【０１０６】
デマッピング部４８２はＬ１−ｐｏｓｔのデマッピング処理を行う際に、復号されたＬ１−ｐｒｅ情報の中から、図１４に示すＬ１＿ＰＯＳＴ＿ＦＥＣ＿ＴＹＰＥ、Ｌ１＿ＰＯＳＴ＿ＣＯＤ、Ｌ１＿ＰＯＳＴ＿ＮＯＮ＿ＵＮＩＦＯＲＭ＿ＣＯＮＳＴ、Ｌ１＿ＰＯＳＴ＿ＭＯＤを参照する。これにより、Ｌ１−ｐｏｓｔとデータＰＬＰが同一符号化率・同一ＬＤＰＣ符号長を有する場合に、送信装置が互いに異なる非均一マッピング形状を定義した場合でも、デマッピング部４８２はＬ１−ｐｏｓｔとデータＰＬＰの両方に対してマッピング形状の検出が可能となり、検出したマッピング形状に基づいたデマッピング処理が可能となる。
【０１０７】
ＦＥＣ復号化部４８３がデマッピング処理されたＬ１−ｐｏｓｔのＬＤＰＣ復号処理、ＢＣＨ復号処理を行う。これにより、Ｌ１−ｐｏｓｔ情報が復号される。
【０１０８】
ＰＬＰ用デインターリーブ部２２１以降のデータＰＬＰに対する動作は、図１２の受信装置４００と同様である。
【０１０９】
また、図１６の受信装置４５０の内、チューナ部２０５を除く構成要素を含んで集積回路４４１としてもよい。
【０１１０】
以上の構成により、非均一なマッピング形状の変調を用いた伝送技術において、Ｌ１情報がデータＰＬＰと同一符号化率・同一ＬＤＰＣ符号長を有する場合に、異なる非均一マッピング形状を定義された送信信号を受信する受信装置、受信方法、集積回路及びプログラムを提供することができる。
【０１１１】
（実施の形態３）
＜送信装置及び送信方法＞
図１７は、本開示の実施の形態３における送信装置５００の構成を示す図である。従来の送信装置、及び実施の形態１〜２の送信装置と同じ構成要素は、同じ符号を用い、説明を省略する。本実施の形態においては、ＤＶＢ―ＮＧＨ方式におけるＭＩＭＯプロファイルの場合に関して説明する。
【０１１２】
図１７の送信装置５００は図２５に示す従来の送信装置２０００と比較して、ＰＬＰ処理部２０１１及びフレーム構成部２０２１及びＬ１情報処理部２０４１をＭＩＭＯ−ＰＬＰ処理部５３１及びフレーム構成部５２１及びＬ１情報処理部５４１にそれぞれ置き換えた構成である。更に送信装置５００は、送信アンテナ（Ｔｘ−１、Ｔｘ−２）毎にＯＦＤＭ信号生成部２０６１、Ｄ／Ａ変換部２０９１、周波数変換部２０９６を備える。
【０１１３】
図１８は、ＭＩＭＯ−ＰＬＰ処理部５３１の構成を示す図である。図２６に示す従来のＰＬＰ処理部２０１１と比較して、マッピング部２０７３をマッピング部５７３に置き換え、ＭＩＭＯ符号化部５７６を追加し、２つの送信アンテナ毎のインターリーブ部２０７４を備えた構成である。
【０１１４】
図１８のＭＩＭＯ−ＰＬＰ処理部５３１において、マッピング部５７３はＩ・Ｑ座標へのマッピングを行ってＦＥＣブロックに変換し、各マッピングデータ（cell）を出力する。
【０１１５】
図１９は、ＭＩＭＯプロファイルにおける非均一なマッピング形状の６４ＱＡＭ（符号化率２／５）コンスタレーション配置図を示す。図１９に示す通り、ＭＩＭＯプロファイルに対しては、ＢａｓｅプロファイルのＳＩＳＯフレームの場合の非均一マッピングをそのまま用いるのではなく、一段階高い符号化率７／１５の非均一マッピングを用いている。これは、ＭＩＭＯが複数送受信アンテナを用いた並列伝送であり、アンテナ間干渉の影響を完全に排除することは困難なため、所要Ｃ／Ｎ比が高くなるためである。
【０１１６】
図２０は、本実施の形態におけるＭＩＭＯプロファイルで、非均一なマッピング形状の６４ＱＡＭ（全ての符号化率）コンスタレーション配置のＩ・Ｑ座標を示す。図２０に示す通り、ＭＩＭＯプロファイルに対しては、ＢａｓｅプロファイルのＳＩＳＯフレームの場合の非均一マッピングをそのまま用いるのではなく、それぞれ一段階高い符号化率の非均一マッピングを用いている。なお、符号化率１１／１５に対しては、新たに非均一マッピングを定義している。
【０１１７】
図１８のＭＩＭＯ−ＰＬＰ処理部５３１において、ＭＩＭＯ符号化部５７６はマッピング部５７３から出力されるマッピングデータ（cell）に対して、ＭＩＭＯ符号化を行う。２つの送信アンテナ毎のインターリーブ部２０７４は、整数個のＦＥＣブロックを含むＴＩブロック内で、マッピングデータ（cell）の並べ替えを行う。
【０１１８】
図２１は、Ｌ１情報処理部５４１の構成を示す図である。図２７に示す従来のＬ１情報処理部２０４１と比較して、Ｌ１情報生成部２０８１及びＦＥＣ符号化部２０８２及びマッピング部２０８３をＬ１情報生成部５８１及びＦＥＣ符号化部３８７及びマッピング部５８３にそれぞれ置き換え、ＭＩＭＯ符号化部５７６を追加した構成である。
【０１１９】
図２１のＬ１情報処理部５４１において、Ｌ１情報生成部５８１は、伝送パラメータを生成してＬ１−ｐｒｅ情報とＬ１−ｐｏｓｔ情報に変換する。図２２に、Ｌ１−ｐｏｓｔ（configurable）におけるＰＬＰループに含むＬ１情報を示す。ＰＬＰ毎に、ＰＬＰ＿ＦＥＣ＿ＴＹＰＥによりＬＤＰＣ符号化の符号長が１６ｋモードであることを示す。更にＰＬＰ毎に、符号化率を示すＰＬＰ＿ＣＯＤ、マッピングが均一か非均一かを示すＰＬＰ＿ＮＯＮ＿ＵＮＩＦＯＲＭ＿ＣＯＮＳＴ、変調方式を示すＰＬＰ＿ＭＯＤを含む。またＰ１シンボルは、このフレームのフォーマットがＮＧＨ＿ＭＩＭＯであることを示す。また、Ｌ１−ｐｒｅに含むＬ１−ｐｏｓｔに関するＬ１情報は、実施の形態２の変形例における図１４と同様である。以上のＬ１情報を含むことで、ＭＩＭＯがＳＩＳＯと同一符号化率・同一ＬＤＰＣ符号長を有する場合に、異なる非均一マッピング形状を定義し、受信機に通知することが可能になる。
【０１２０】
図２１のＬ１情報処理部５４１において、ＦＥＣ符号化部３８７の動作は、実施の形態２の変形例における図１３のＬ１情報処理部３４５での動作と同様である。マッピング部５８３はＩ・Ｑ座標へのマッピングを行ってＦＥＣブロックに変換し、各マッピングデータ（cell）を出力する。
【０１２１】
Ｌ１−ｐｏｓｔにおける非均一なマッピング形状の６４ＱＡＭ（符号化率７／１５）コンスタレーション配置は、実施の形態２における図１１と同様である。図１１に示す通り、Ｌ１−ｐｏｓｔ(ＭＩＭＯ)に対しては、データＰＬＰ(ＳＩＳＯ)の非均一マッピングをそのまま用いるのではなく、二段階高い符号化率３／５の非均一マッピングを用いている。これは、ＭＩＭＯが複数送受信アンテナを用いた並列伝送であり、アンテナ間干渉の影響を完全に排除することは困難なため、所要Ｃ／Ｎ比が高くなるためである。またＬ１−ｐｏｓｔは情報ビット数が少ないことに起因する誤り訂正能力の低下が発生することも考慮して、一段階高い符号化率８／１５ではなく、二段階高い符号化率３／５の非均一マッピングを用いている。
【０１２２】
図２１のＬ１情報処理部５４１において、ＭＩＭＯ符号化部５７６はマッピング部５８３から出力されるマッピングデータ（cell）に対して、ＭＩＭＯ符号化を行う。
【０１２３】
図１７の送信装置５００において、フレーム構成部５２１は、ＭＩＭＯ−ＰＬＰ処理部５３１から出力される２つの送信アンテナ（Ｔｘ−１、Ｔｘ−２）に対する各ＰＬＰのマッピングデータと、Ｌ１情報処理部５４１から出力される２つの送信アンテナ（Ｔｘ−１、Ｔｘ−２）に対するＬ１情報のマッピングデータを用いて、図２４に示すＤＶＢ―ＮＧＨ方式の伝送フレームを生成して出力する。
【０１２４】
２つの送信アンテナ毎のＯＦＤＭ信号生成部２０６１はそれぞれ、フレーム構成部５２１から出力されるＤＶＢ―ＮＧＨ方式の伝送フレーム構成に対して、パイロット信号の付加、ＩＦＦＴ、ＧＩの挿入、Ｐ１シンボルとａＰ１シンボルの挿入を行い、デジタルベースバンド送信信号を出力する。２つの送信アンテナ毎のＤ／Ａ変換部２０９１はそれぞれ、ＯＦＤＭ信号生成部２０６１から出力されるデジタルベースバンド送信信号に対してＤ／Ａ変換を行い、アナログベースバンド送信信号を出力する。２つの送信アンテナ毎の周波数変換部２０９６はそれぞれ、Ｄ／Ａ変換部２０９１から出力されるアナログベースバンド送信信号に対して周波数変換を行い、アナログＲＦ送信信号を図示しない送信アンテナから出力する。
【０１２５】
以上の構成により、非均一なマッピング形状の変調を用いた伝送技術において、ＭＩＭＯがＳＩＳＯと同一符号化率・同一ＬＤＰＣ符号長を有する場合に、異なる非均一マッピング形状を定義することにより、シェーピング利得を効率的に得る送信装置、送信方法、及びプログラムを提供することができる。
【０１２６】
＜受信装置及び受信方法＞
図２３は、本開示の実施の形態３における受信装置６００の構成を示す図である。図２３の受信装置６００は、図１７の送信装置５００に対応し、送信装置５００の機能を反映するものである。実施の形態１〜２の受信装置と同じ構成要素は、同じ符号を用い、説明を省略する。
【０１２７】
図２３の受信装置６００は図１６に示す実施の形態２の変形例における受信装置４５０と比較して、デマッピング部４８２をＭＩＭＯデマッピング部６３２に置き換えた構成である。更に受信装置２００は、受信アンテナ（Ｒｘ−１、Ｒｘ−２）毎にチューナ部２０５、Ａ／Ｄ変換部２０８、復調部２１１、周波数デインターリーブ・Ｌ１情報デインターリーブ部２１５、ＰＬＰ用デインターリーブ部２２１、選択部２３１を備える。
【０１２８】
以下、受信装置６００の動作について説明する。一方の受信アンテナＲｘ−１よりアナログＲＦ受信信号が入力されると、チューナ部２０５−１、Ａ／Ｄ変換部２０８−１、復調部２１１−１、周波数デインターリーブ・Ｌ１情報デインターリーブ部２１５−１、ＰＬＰ用デインターリーブ部２２１−１、選択部２３１−１は実施の形態２の変形例における受信装置４５０と同様の動作を行う。また受信アンテナＲｘ−２よりアナログＲＦ受信信号が入力されると、チューナ部２０５−２、Ａ／Ｄ変換部２０８−２、復調部２１１−２、周波数デインターリーブ・Ｌ１情報デインターリーブ部２１５−２、ＰＬＰ用デインターリーブ部２２１−２、選択部２３１−２は実施の形態２の変形例における受信装置４５０と同様の動作を行う。
【０１２９】
ＭＩＭＯデマッピング部６３２はＬ１−ｐｒｅのデマッピング処理を行い、ＦＥＣ復号化部４８３がＬＤＰＣ復号処理、ＢＣＨ復号処理を行う。これにより、Ｌ１−ｐｒｅ情報が復号される。
【０１３０】
ＭＩＭＯデマッピング部６３２はＬ１−ｐｏｓｔのデマッピング処理を行う際に、復号されたＬ１−ｐｒｅ情報の中から、図１４に示すＬ１＿ＰＯＳＴ＿ＦＥＣ＿ＴＹＰＥ、Ｌ１＿ＰＯＳＴ＿ＣＯＤ、Ｌ１＿ＰＯＳＴ＿ＮＯＮ＿ＵＮＩＦＯＲＭ＿ＣＯＮＳＴ、Ｌ１＿ＰＯＳＴ＿ＭＯＤを参照するとともに、受信したＰ１シンボルからこのフレームのフォーマットがＮＧＨ＿ＭＩＭＯであることを認識する。これにより、Ｌ１−Ｐｏｓｔ（ＭＩＭＯ）がＳＩＳＯと同一符号化率・同一ＬＤＰＣ符号長を有する場合に、図１７の送信装置５００が異なる非均一マッピング形状を定義した場合でも、ＭＩＭＯデマッピング部６３２はＬ１−ｐｏｓｔ（ＭＩＭＯ）に対してマッピング形状の検出が可能となり、検出したマッピング形状に基づいたＭＩＭＯデマッピング処理が可能となる。ＦＥＣ復号化部４８３がＭＩＭＯデマッピング処理されたＬ１−ｐｏｓｔのＬＤＰＣ復号処理、ＢＣＨ復号処理を行う。これにより、Ｌ１−ｐｏｓｔ情報が復号される。
【０１３１】
２つの選択部（２３１−１、２３１−２）から出力されたＰＬＰのcellデータと伝送路推定値に対してＭＩＭＯデマッピング部６３２がＭＩＭＯデマッピング処理を行い、ＦＥＣ復号化部４８３がＬＤＰＣ復号処理、ＢＣＨ復号処理を行う。これにより、ＰＬＰデータが復号される。
【０１３２】
ＭＩＭＯデマッピング部６３２はデマッピング処理を行う際に、復号されたＬ１−Ｐｏｓｔ情報の中からユーザにより選択されたプログラムを含むＰＬＰ（例えば、図１に示すＰＬＰ−１）に関して、図２２に示すＰＬＰ＿ＦＥＣ＿ＴＹＰＥ、ＰＬＰ＿ＣＯＤ、ＰＬＰ＿ＮＯＮ＿ＵＮＩＦＯＲＭ＿ＣＯＮＳＴ、ＰＬＰ＿ＭＯＤを参照するするとともに、受信したＰ１シンボルからこのフレームのフォーマットがＮＧＨ＿ＭＩＭＯであることを認識する。これにより、データＰＬＰ（ＭＩＭＯ）がデータＰＬＰ（ＳＩＳＯ）と同一符号化率・同一ＬＤＰＣ符号長を有する場合に、図１７の送信装置５００が同一符号化率で異なるＬＤＰＣ符号長に対して、異なる非均一マッピング形状を定義した場合でも、ＭＩＭＯデマッピング部６３２はデータＰＬＰ(ＭＩＭＯ)に対してマッピング形状の検出が可能となり、検出したマッピング形状に基づいたＭＩＭＯデマッピング処理が可能となる。
【０１３３】
また、図２３の受信装置６００の内、チューナ部２０５を除く構成要素を含んで集積回路６４０としてもよい。
【０１３４】
以上の構成により、非均一なマッピング形状の変調を用いた伝送技術において、ＭＩＭＯがＳＩＳＯと同一符号化率・同一ＬＤＰＣ符号長を有する場合に、異なる非均一マッピング形状を定義された送信信号を受信する受信装置、受信方法、集積回路及びプログラムを提供することができる。
【０１３５】
（補足）
本開示は上記の実施の形態で説明した内容に限定されず、本開示の目的とそれに関連又は付随する目的を達成するためのいかなる形態においても実施可能であり、例えば、以下であってもよい。
【０１３６】
（１）実施の形態１〜３を任意の組み合わせで実施してもよい。
【０１３７】
（２）実施の形態１〜３において、ＤＶＢ−ＮＧＨ方式をベースに説明したが、これに限らず、ＤＶＢ−ＮＧＨ方式以外の伝送方式に対しても適用可能である。
【０１３８】
（３）実施の形態１〜３において、入力ストリーム数及びＰＬＰ数を２つとしたが、これに限らない。
【０１３９】
（４）実施の形態１〜３において、非均一なマッピング形状を適用する変調方式を６４ＱＡＭとしたが、これに限らず、他の変調方式に対しても適用可能である。
【０１４０】
（５）実施の形態１〜３において、ＬＤＰＣ符号化の符号長として６４ｋモード、１６ｋモード、４ｋモードなどを示したが、一例に過ぎず、他の符号長を適用可能である。
【０１４１】
（６）実施の形態１〜３において、ＦＥＣ符号化方式をＢＣＨ符号化とＬＤＰＣ符号化の組み合わせとしたが、これに限らない。
【０１４２】
（７）実施の形態３において、送受信アンテナ数がいずれも２の場合を示したがこれに限らず、３以上であってもよい。また、送受信アンテナ数が異なってもよい。
【０１４３】
（８）実施の形態３において、ＤＶＢ―ＮＧＨ方式におけるＭＩＭＯプロファイルの場合を示した。ＢａｓｅプロファイルのＭＩＳＯ（Multiple Input Single Output）フレームの場合を考えると、ＭＩＳＯとＳＩＳＯが同一符号化率・同一ＬＤＰＣ符号長を有する場合に、非均一マッピング形状を互いに異ならせてもよい。またＭＩＳＯとＭＩＭＯが同一符号化率・同一ＬＤＰＣ符号長を有する場合に、非均一マッピング形状を互いに異ならせてもよい。
【０１４４】
（９）実施の形態１〜３において、非均一なマッピング形状を適用する場合に、コンスタレーション配置のＩ座標とＱ座標を同一パターンとしたが、これに限らず、Ｉ座標とＱ座標を互いに異なるパターンとしてもよい。
【０１４５】
（１０）実施の形態１において、同一符号化率で異なるＬＤＰＣ符号長に対して、一方の符号長のそれぞれ一段階低い符号化率の非均一マッピングを、他方の符号長の符号化率それぞれに適用した。これに限らず、他の方法により、同一符号化率で異なるＬＤＰＣ符号長に対して、非均一マッピング形状を互いに異ならせてもよい。
【０１４６】
（１１）実施の形態２において、Ｌ１情報がデータＰＬＰと同一符号化率で異なるＬＤＰＣ符号長を有する場合に、データＰＬＰの二段階高い符号化率の非均一マッピングを、Ｌ１情報の符号化率に適用した。これに限らず、他の方法により、Ｌ１情報とデータＰＬＰに対して、非均一マッピング形状を互いに異ならせてもよい。
【０１４７】
（１２）実施の形態２の変形例において、Ｌ１情報がデータＰＬＰと同一符号化率・同一ＬＤＰＣ符号長を有する場合に、データＰＬＰの一段階高い符号化率の非均一マッピングを、Ｌ１情報の符号化率に適用した。これに限らず、他の方法により、Ｌ１情報とデータＰＬＰに対して、非均一マッピング形状を互いに異ならせてもよい。
【０１４８】
（１３）実施の形態３において、データＰＬＰ（ＭＩＭＯ）がデータＰＬＰ（ＳＩＳＯ）と同一符号化率・同一ＬＤＰＣ符号長を有する場合に、データＰＬＰ（ＳＩＳＯ）の一段階高い符号化率の非均一マッピングを、データＰＬＰ（ＭＩＭＯ）の符号化率に適用した。これに限らず、他の方法により、データＰＬＰ（ＭＩＭＯ）とデータＰＬＰ（ＳＩＳＯ）に対して、非均一マッピング形状を互いに異ならせてもよい。
【０１４９】
（１４）実施の形態３において、Ｌ１情報（ＭＩＭＯ）がＬ１情報（ＳＩＳＯ）と同一符号化率・同一ＬＤＰＣ符号長を有する場合に、Ｌ１情報（ＳＩＳＯ）の二段階高い符号化率の非均一マッピングを、Ｌ１情報(ＭＩＭＯ)の符号化率に適用した。これに限らず、他の方法により、Ｌ１情報（ＭＩＭＯ）とＬ１情報（ＳＩＳＯ）に対して、非均一マッピング形状を互いに異ならせてもよい。
【０１５０】
（１５）上記の実施の形態は、ハードウェアとソフトウェアを使った実装に関するものであってもよい。上記の実施の形態はコンピューティングデバイス（プロセッサ）を使って実装又は実行されてもよい。コンピューティングデバイスまたはプロセッサは、例えば、メインプロセッサ／汎用プロセッサ（general purpose processor）、デジタル信号プロセッサ（ＤＳＰ）、ＡＳＩＣ（application specific integrated circuit）、ＦＰＧＡ（field programmable gate array）、他のプロラマブル論理デバイスなどであってよい。上記の実施の形態は、これらのデバイスの結合によって実行され、あるいは、実現されてもよい。
【０１５１】
（１６）上記の実施の形態は、プロセッサによって、または、直接ハードウェアによって実行される、ソフトウェアモジュールの仕組みによって実現されてもよい。また、ソフトウェアモジュールとハードウェア実装の組み合わせも可能である。ソフトウェアモジュールは、様々な種類のコンピュータ読み取り可能なストレージメディア、例えば、ＲＡＭ、ＥＰＲＯＭ、ＥＥＰＲＯＭ、フラッシュメモリ、レジスタ、ハードディスク、ＣＤ−ＲＯＭ、ＤＶＤなど、に保存されてもよい。
【産業上の利用可能性】
【０１５２】
本開示に係る送信装置、送信方法、受信装置、受信方法、集積回路、及びプログラムは、特に非均一なマッピング形状の変調を用いた伝送方式に適用することができる。
【符号の説明】
【０１５３】
１００，３００，５００，２０００  送信装置
１１１，２０１１  ＰＬＰ処理部
１４１，３４１，３４５，５４１，２０４１  Ｌ１情報処理部
１７１，２０７１  入力処理部
１７２，３８７，２０７２，２０８２  ＦＥＣ符号化部
１７３，３８３，３８８，５７３，５８３，２０７３，２０８３  マッピング部
１８１，３８１，３８６，５８１，２０８１  Ｌ１情報生成部
２００，４００，４５０，６００  受信装置
２０５  チューナ部
２０８  Ａ／Ｄ変換部
２１１  復調部
２１５  周波数デインターリーブ・Ｌ１情報デインターリーブ部
２２１  ＰＬＰ用デインターリーブ部
２３１  選択部
２３２，４３２，４８２  デマッピング部
２３３，４８３  ＦＥＣ復号化部
２４０，４４０，４４１，６４０  集積回路
５２１，２０２１  フレーム構成部
５３１  ＭＩＭＯ−ＰＬＰ処理部
５７６  ＭＩＭＯ符号化部
６３２，２３５，４３２，４３４  ＭＩＭＯデマッピング部
２０６１  ＯＦＤＭ信号生成部
２０７４  インターリーブ部
２０９１  Ｄ／Ａ変換部
２０９６  周波数変換部
【図１】
0006462593.tif 000002
【図２】
0006462593.tif 000003
【図３】
0006462593.tif 000004
【図４】
0006462593.tif 000005
【図５】
0006462593.tif 000006
【図６】
0006462593.tif 000007
【図７】
0006462593.tif 000008
【図８】
0006462593.tif 000009
【図９】
0006462593.tif 000010
【図１０】
0006462593.tif 000011
【図１１】
0006462593.tif 000012
【図１２】
0006462593.tif 000013
【図１３】
0006462593.tif 000014
【図１４】
0006462593.tif 000015
【図１５】
0006462593.tif 000016
【図１６】
0006462593.tif 000017
【図１７】
0006462593.tif 000018
【図１８】
0006462593.tif 000019
【図１９】
0006462593.tif 000020
【図２０】
0006462593.tif 000021
【図２１】
0006462593.tif 000022
【図２２】
0006462593.tif 000023
【図２３】
0006462593.tif 000024
【図２４】
0006462593.tif 000025
【図２５】
0006462593.tif 000026
【図２６】
0006462593.tif 000027
【図２７】
0006462593.tif 000028
【図２８】
0006462593.tif 000029
【図２９】
0006462593.tif 000030
【図３０】
0006462593.tif 000031